(57)【要約】【課題】従来の梱包装置の構成では、例えば被梱包機器が立設された状態で梱包用外装箱を手で持って移動する際に、梱包用外装箱の下部がたわむことがあり、梱包用外装箱が変形するという問題があった。【解決手段】この発明に係る梱包装置においては、被梱包機器を載置固定し、下から上に向かって順に直交して重なり合う三層構造を有すると共に、三層構造の各層は、重なり合う順に、それぞれ同じ方向に複数の第１の部材８、複数の第２の部材９及び複数の第３の部材が配置されることで各々構成された梱包用固定台２と、被梱包機器の側面部を覆う４面のうちの相対する一対の面の底部に下フラップ４を有する梱包用外装箱２とを備えた梱包装置１であって、複数の第１の部材８は、梱包用固定台の左右両端に配置された複数の第２の部材９の外側より突き出た左右突出部１１を有すると共に、左右突出部１１に下フラップ４が載置されていることを特徴とするものである。【選択図】図１
2014218267.tif 000002
【特許請求の範囲】
【請求項１】
立設された直方体状の被梱包機器を載置固定し、下から上に向かって順に直交して重なり合う三層構造を有すると共に、前記三層構造の各層は、前記重なり合う順に、それぞれ同じ方向に複数の第１の部材、複数の第２の部材及び複数の第３の部材が配置されることでそれぞれ構成された梱包用固定台と、
前記被梱包機器の側面部を覆い、前記側面部を覆う４面のうちの相対する一対の面の底部に下フラップを有する梱包用外装箱と
を備えた梱包装置であって、
前記複数の第１の部材は、前記第１の部材の長手方向を前記梱包用固定台の左右方向として、前記梱包用固定台の左右両端に配置された前記複数の第２の部材の外側より突き出た左右突出部を有すると共に、前記左右突出部に前記下フラップが載置されていることを特徴とする梱包装置。
【請求項２】
前記被梱包機器の天部を覆うための梱包用天カバーと、
前記梱包用固定台、前記梱包用外装箱及び前記梱包用天カバーを締め付けるための包装用バンドを有していること
を特徴とする請求項１に記載の梱包装置。
【請求項３】
前記梱包用固定台は、前記複数の第２の部材が互いに間を空けて配置されることにより形成された空間を有していること
を特徴とする請求項１又は２に記載の梱包装置。
【請求項４】
前記一対の面の内側は、前記梱包用固定台の左右両端に配置された前記第２の部材の外側と接していること
を特徴とする請求項１乃至３のいずれか１に記載の梱包装置。
【請求項５】
前記複数の第２の部材は、前記梱包用固定台の前後に配置された前記複数の第３の部材の外側より突き出た前後突出部を有すると共に、
前記梱包用外装箱の前記４面のうちの前記下フラップが設けれられていない２面の下端は、前記前後突出部に載置されていること
を特徴とする請求項１乃至４のいずれか１項に記載の梱包装置。
【請求項６】
前記左右突出部は、第１のスリットを有すると共に、
前記下フラップは、前記第１のスリットに嵌め込まれていること
を特徴とする請求項１乃至５のいずれか１項に記載の梱包装置。
【請求項７】
前記前後突出部は、第２のスリットを有すると共に、
前記梱包用外装箱の前記４面のうちの前記下フラップが設けられていない２面の下端は、前記第２のスリットに嵌め込まれていることを特徴とする請求項１乃至６のいずれか１項に記載の梱包装置。
【請求項８】
前記下フラップの下端には、切り欠き部が設けられており、
前記切り欠き部は、前記左右突出部に嵌め込まれていること
を特徴とする請求項１乃至５のいずれか１項に記載の梱包装置。
【発明の詳細な説明】
【技術分野】
【０００１】
この発明は、機器を梱包するための梱包装置に関する。
【背景技術】
【０００２】
従来の梱包装置として、被梱包機器を載置固定する被梱包用固定台と、被梱包機器の側部を覆う直方体状の梱包用外装箱と、被梱包機器の天部を覆う蓋部と、梱包用外装箱の外側面の両角部に固定される一対の長板状の補強材とを備え、梱包用外装箱の下端は被梱包用固定台上に位置された構成が開示されている。（例えば、特許文献１参照。）
【先行技術文献】
【特許文献】
【０００３】
【特許文献１】特開２００７−３２６６０８号公報
【発明の概要】
【発明が解決しようとする課題】
【０００４】
従来の梱包装置の構成では、例えば倉庫保管時や物流輸送時等において被梱包用機器が縦長に立ったままの状態、すなわち立設された状態で梱包用外装箱を手で持って移動する際に、梱包用外装箱の下部がたわむことがあり、梱包用外装箱が変形するという問題があった。
【０００５】
この発明は、上述のような課題を解決するためになされたもので、被梱包用機器が縦長に立ったままの状態、すなわち立設された状態で梱包用外装箱を手で持って移動する際に、梱包用外装箱の変形がない梱包装置を得ることを目的とする。
【課題を解決するための手段】
【０００６】
この発明に係る梱包装置においては、立設された直方体状の被梱包機器を載置固定し、下から上に向かって順に直交して重なり合う三層構造を有すると共に、三層構造の各層は、重なり合う順に、それぞれ同じ方向に複数の第１の部材、複数の第２の部材及び複数の第３の部材が配置されることでそれぞれ構成された梱包用固定台と、被梱包機器の側面部を覆い、側面部を覆う４面のうちの相対する一対の面の底部に下フラップを有する梱包用外装箱とを備えた梱包装置であって、複数の第１の部材は、第１の部材の長手方向を梱包用固定台の左右方向として、梱包用固定台の左右両端に配置された複数の第２の部材の外側より突き出た左右突出部を有すると共に、左右突出部に下フラップが載置されていることを特徴とするものである。
【発明の効果】
【０００７】
この発明に係る梱包装置によれば、梱包用外装箱の底部が梱包用固定台に裁置される箇所を設けたことにより、梱包用外装箱の剛性が増し、被梱包機器が立設された状態で梱包用外装箱を手で持って移動する際に、梱包用外装箱の変形を防止することが可能となる。
【図面の簡単な説明】
【０００８】
【図１】この発明の実施の形態１を示す梱包装置の前方斜視図である。
【図２】この発明の実施の形態１を示す梱包装置の正面図である。
【図３】この発明の実施の形態１を示す梱包装置の側面図である。
【図４】この発明の実施の形態１を示す梱包装置の梱包用固定台斜視図である。
【図５】この発明の実施の形態１を示す梱包装置の分解斜視図である。
【図６】この発明の実施の形態１を示す梱包装置の梱包用外装箱の展開平面図である。
【図７】この発明の実施の形態１を示す梱包装置の梱包用外装箱の組立状態を示す斜視図である。
【図８】この発明の実施の形態１を示す梱包装置の荷扱い時の作業図である。
【図９】この発明の実施の形態２を示す梱包装置の正面図である。
【図１０】この発明の実施の形態２を示す梱包装置の第１の梱包用固定台の斜視図である。
【図１１】この発明の実施の形態２を示す梱包装置の第２の梱包用固定台の斜視図ある。
【図１２】この発明の実施の形態２を示す梱包装置の第３の梱包用固定台の斜視図ある。
【図１３】この発明の実施の形態３を示す梱包装置の側面図である。
【図１４】この発明の実施の形態３を示す梱包装置の正面図である。
【図１５】この発明の実施の形態３を示す梱包装置の梱包用外装箱の展開平面図である。
【発明を実施するための形態】
【０００９】
実施の形態１．
以下、本発明の実施の形態１について、図１〜図８を用いて説明する。
【００１０】
まず、梱包装置１の構成について、図１〜図４を用いて説明する。
図１は、この発明を実施するための実施の形態１における梱包装置の前方斜視図を示すものである。
図１において、本実施の形態１に係る梱包装置１は、木材等の材質からなる梱包用固定台２と、製品本体の外側を包装する段ボールシート等からなる直方体状の梱包用外装箱３と、梱包用外装箱３の上部に配置される梱包用天カバー５と、ポリプロピレン等からなる包装用バンド６とで構成されている。
梱包用固定台２は、第１の部材８、第２の部材９及び図１には図示されていない第３の部材１０で構成された三層構造になっている。また、梱包用外装箱３の４つの側面部のうちの相対する１対の面に下フラップ４と取っ手３２とを備えており、さらに、下フラップ４は、第１の部材８の長手方向の端部である左右突出部１１上に裁置されている。
なお、梱包装置１の構成を詳細に説明するため、第１の矢印４０は梱包装置１の正面方向を、第２の矢印４１は梱包装置１の側面方向を表している。以下で、左右という場合はこの正面方向からみて左右方向を意味し、前後という場合はこの正面方向からみて前後方向を意味する。
【００１１】
図２は、この発明を実施するための実施の形態１における梱包装置の正面図を示すものである。図２は、図１に示した第１の矢印４０の方向から見た図である。
図２において、被梱包機器となる製品本体７は、縦長に立ったままの状態、すなわち立設された状態で、梱包用固定台２の第３の部材１０と固定されている。
梱包用固定台２は、下から上に向かって順に直交して重なり合う三層構造になっており、この三層構造の各層は、重なり合う順に、それぞれ同じ方向に複数の第１の部材８、複数の第２の部材９及び複数の第３の部材１０が配置されることで、それぞれ構成されている。なお、梱包用固定台２の左右方向は、第１の部材８の長手方向と同じ方向である。
第１の部材８の左右突出部１１は、梱包用固定台２の左右両端に配置された第２の部材９の外側より突き出した箇所である。左右突出部１１の詳細な構成は、図４の説明で後述する。
梱包用外装箱３の一対の面の底部に設けられた下フラップ４の下端１４は、梱包用固定台２の第１の部材８の左右突出部１１に直接的に接し、さらに、下フラップ４の内側面１８も、梱包用固定台２の左右両端に配置された第２の部材９の外側に直接的に接する構成になっている。
また、第２の部材９を互いに間を空けて配置することで、フォークリフトで運搬するために用いる空間４５を設けている。
梱包用外装箱３の内側の側面部１６は、製品本体７の側面部１７に対向するように配置されている。
【００１２】
図３は、この発明を実施するための実施の形態１における梱包装置の側面図を示すものである。図３は、図１に示した第２の矢印４１の方向から見た図である。梱包装置の前後は、図３においては左右方向となっている。
図３において、第２の部材９の前後突出部２０は、梱包用固定台２の前後両端に配置された第３の部材１０の外側より突き出した箇所である。
梱包用外装箱３の４つの側面のうちの下フラップ４が設けられていない２つの側面の下端１５は、第２の部材９の前後突出部２０に直接的に接し、さらに、下フラップ４の下端１４は、第１の部材８の左右突出部１１と直接的に接している。なお、左右突出部１１と前後突出部２０についての構成は、図４の説明で後述する。
【００１３】
図４は、この発明を実施するための実施の形態１における梱包用固定台２の斜視図を示すものである。
図４において、梱包用固定台２は、第１の部材８、第２の部材９及び第３の部材１０をそれぞれ複数配置することで構成された三層構造になっている。それぞれの部材は木材等の材質からなり、互いに直交するように重ねられ、クギ等によって固着されている。
第１の部材８の左右突出部１１は、梱包用固定台２の左右両端に配置された第２の部材９の外側の面となる外側面１９より突き出した箇所である。この左右突出部１１の上に、図２で示した下フラップ４の下端１４が直接的に接することになる。
第２の部材９の前後突出部２０は、梱包用固定台２の前後両端に配置された第３の部材１０の外側より突き出した箇所である。この前後突出部２０の上に、図３で示した梱包用外装箱３の４つの側面のうちの下フラップ４が設けられていない２つの側面の下端１５が直接的に接することになる。
【００１４】
次に梱包装置１の組み立て方法を、図５を用いて説明する。
図５は、この発明を実施するための実施の形態１における梱包装置の分解斜視図を示すものである。
図５において、被梱包機器である製品本体７は、梱包用固定台２にボルト１２等で固定された後、梱包用固定台２と製品本体７の下部との間に下部クッション１３を嵌め込み、段ボールシート等からなる梱包用外装箱３を製品本体７の上部から被せる。そして、段ボール製の梱包用天カバー５を梱包用外装箱３を包みこむように上から嵌め込む。そして図６では図示していない包装用バンド６で、梱包用固定台２、梱包用外装箱３及び梱包用天カバー５を巻きつけて締め付けることで、既に説明した図１に示した構成が完成する。
【００１５】
次に梱包用外装箱３の組み立て方法を、図６と図７を用いて説明する。
図６は、この発明を実施するための実施の形態１における梱包用外装箱の展開平面図を示すものである。
図７は、この発明を実施するための実施の形態１における梱包装置の梱包用外装箱の組立状態を示す斜視図である。
【００１６】
図６において、梱包用外装箱３に組み立て前の展開平面図２１は、第１の側面部２２、第２の側面部２３、第３の側面部２５、第４の側面部２７及び側面フラップ２９で構成され、側面部２２と側面部２５とは、底部に下フラップ４を有している。また、梱包用外装箱３の組み立て作業のため、第１の折り曲げ罫線２４、第２の折り曲げ罫線２６、第３の折り曲げ罫線２８及び第４の折り曲げ罫線３０とを有している。
【００１７】
図７に示した梱包用外装箱３に組み立てる手順は、まず、図６に示す第１の側面部２２に対して第２の側面部２３の方向に第１の折り曲げ罫線２４を支点として折り曲げる。次に、第２の側面部２３と第３の側面部２５との間にある第２の折り曲げ罫線２６を支点として内側に折り曲げる。次に、第３の側面部２５と第４の側面部２７との間にある第３の折り曲げ罫線２８を支点として内側に折り曲げる。次に、第４の側面部２７の外方に連結されている側面フラップ２９と第４の側面部２７との間にある第４の折り曲げ罫線３０を支点として内側に折り曲げる。このとき、第１の側面部２２と側面フラップ２９とが接するようにする。そして、側面フラップ２９と第１の側面部２２とは、図７に示すようにステープル３１等で固定することで、梱包用外装箱３が完成する。
【００１８】
次に梱包装置の荷扱い時の作業方法について、図８を用いて説明する。
図８は、この発明を実施するための実施の形態１における梱包装置の荷扱い時の作業図を示すものである。  
図８において、荷扱い時に梱包装置１を矢印４２が指し示す方向に移動する場合、作業者４３は、梱包用外装箱３にある取っ手３２を掴んで移動することになる。
梱包用固定台２が製品本体７の荷重では変形しない剛性を持っているので、梱包用外装箱３の下フラップ４が左右突出部１１に裁置されることで梱包用外装箱３の強度が上がり、曲げ剛性が向上している。したがって、荷扱い時に、梱包用外装箱３を手で掴んで梱包装置１を前後左右に移動する際に、梱包用外装箱３が変形することなく、梱包装置１の外観を損ねることなく、より品質の高い梱包形態を提供可能となる。
【００１９】
実施の形態２．
次に、この発明を実施するための実施の形態２について、図９〜図１２を用いて説明する。なお、実施の形態１と同様な箇所は、同じ番号を付しており、説明は省略する。
【００２０】
図９は、この発明を実施するための実施の形態２における梱包装置の正面図を示すものである。
図９において、実施の形態１の構成と異なる箇所は、梱包用固定台２の第１の部材８の左右突出部１１に凹状の第１のスリット３３を設けたことである。この第１のスリット３３に、梱包用外装箱３の下フラップ４の下端１４が嵌め込まれている。さらに、梱包用外装箱３の第２の側面部および第４の側面部の下端１５は、梱包用固定台２の第２の部材９に直接的に接している。
このように、梱包用外装箱３の４つの側面部が前後左右方向において、梱包用固定台２と直接的に接する構成に加えて下フラップ４の下端１４が第１のスリット３３に嵌め込まれるようになっているので、梱包用外装箱３の曲げ剛性が一層向上している。したがって、荷扱い時に、梱包用外装箱３を手で掴んで梱包装置１を前後左右に移動する際に、梱包用外装箱３が変形することなく、梱包装置１の外観を損ねることなく、より品質の高い梱包形態を提供可能となる。
【００２１】
また、組み立て時に、梱包用外装箱３の梱包用固定台２への位置決めが容易となり、寸法バラツキが小さく、品質の高い梱包装置が提供可能となる
【００２２】
図１０は、この発明を実施するための実施の形態２における梱包装置の第１の梱包用固定台の斜視図を示すものである。
図１０において、梱包用固定台２の第１の部材８の左右両端部１１に、凹状の第１のスリット３３が設けられている。この第１のスリット３３に、図９に示した梱包用外装箱３の下フラップ４の下端１４が嵌め込まれることになる。
【００２３】
次に、実施の形態２の変形例を、図１１と図１２を用いて説明する。
図１１は、この発明を実施するための実施の形態２における梱包装置の第２の梱包用固定台の斜視図を示すものである。
図１１において、凹状の第１のスリット３３に加えて、梱包用固定台２の第２の部材９の前後突出部２０に凹状の第２のスリット３４とを設けている。この２箇所のスリットに、図９で示した梱包用外装箱３の下フラップ４の下端１４と、梱包用外装箱３の前後方向の下端１５がそれぞれ挟まれるようにすることで、梱包用外装箱３の曲げ剛性が一層増す効果がある。
【００２４】
図１２は、この発明を実施するための実施の形態２における梱包装置の第３の梱包用固定台の斜視図を示すものである。
図１２において、梱包用固定台２の第１の部材８に、第２の部材９の外側の面から前後左右方向に突き出すように突出部４４を設けている。この突出部４４に、凹状の第３のスリット３５を設け、梱包用外装箱３の側面部の底部がスリット３５に挟めれるようにしても、梱包用外装箱３の曲げ剛性が一層増す効果がある。このときの梱包用外装箱３の側面部の底部は、下フラップ４が無いものとなる。
【００２５】
実施の形態３．
次に、この発明を実施するための実施の形態３について、図１３〜図１５を用いて説明する。なお、実施の形態１と同様な箇所は、同じ番号を付しており、説明は省略する。
【００２６】
図１３は、この発明を実施するための実施の形態３における梱包装置の側面図を示すものである。
実施の形態１と異なる箇所は、梱包用外装箱３の下フラップ４の下端にコの字状となる切り欠き部３６を設けていることである。なお、この実施の形態３の構成は、実施の形態２の構成と組み合わせることが可能である。
【００２７】
図１３において、梱包用外装箱３の下フラップ４の下端に設けた切り欠き部３６は、梱包用固定台２の第１の部材８の左右突出部１１を覆うように嵌め込まれている。
さらに、梱包用外装箱３の前後方向の下端１５は、梱包用固定台２の第２の部材９の前後突出部２０に直接的に接している。
【００２８】
図１４は、この発明を実施するための実施の形態３における梱包装置の正面図を示すものである。
図１４において、梱包用外装箱３の下フラップ４の下端に設けた切り欠き部３６は、梱包用固定台２の第１の部材８の左右突出部１１を覆うように嵌め込まれている。
【００２９】
図１５は、この発明を実施するための実施の形態３における梱包装置の梱包用外装箱の展開平面図を示すものである。
図１５において、下フラップ４の下端に切り欠き部３６を設けている。
梱包用外装箱３の４つの側面部は、前後左右方向において梱包用固定台２と直接的に接し、さらに、切り欠き部３６は第１の部材８の左右突出部１１を覆うように嵌め込まれているので、梱包用外装箱３の曲げ剛性が一層向上している。したがって、荷扱い時に、梱包用外装箱３の取っ手３２を掴んで梱包装置１を前後左右に移動する際に、梱包用外装箱３が変形することなく、梱包装置１の外観を損ねることなく、より品質の高い梱包形態を提供可能となる。
【００３０】
また、梱包装置への組み立て時に、梱包用外装箱３の梱包用固定台２への位置決めが容易となり、寸法バラツキの小さい品質の高い梱包装置が提供可能となる。
【００３１】
なお、以上の実施の形態１〜実施の形態３では、梱包用外装箱３と梱包用固定台２とが直接的に接する場合を説明したが、薄い紙等、実質的に力学的に支持できるのであれば、直接的でなくても良いのは言うまでも無い。
また、本発明は上述した実施の形態に限定されるものではなく、梱包用外装箱の形状、取っ手の位置及び配置数についても、適宜最適になるように変更した構成であってもよい。
【符号の説明】
【００３２】
１  梱包装置、２  梱包用固定台、３  梱包用外装箱、４  下フラップ、５  梱包用天カバー、７  製品本体、８  第１の部材、９  第２の部材、１０  第３の部材、１１  左右突出部
【図１】
2014218267.tif 000003
【図２】
2014218267.tif 000004
【図３】
2014218267.tif 000005
【図４】
2014218267.tif 000006
【図５】
2014218267.tif 000007
【図６】
2014218267.tif 000008
【図７】
2014218267.tif 000009
【図８】
2014218267.tif 000010
【図９】
2014218267.tif 000011
【図１０】
2014218267.tif 000012
【図１１】
2014218267.tif 000013
【図１２】
2014218267.tif 000014
【図１３】
2014218267.tif 000015
【図１４】
2014218267.tif 000016
【図１５】
2014218267.tif 000017
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
立設された直方体状の被梱包機器を載置固定し、下から上に向かって順に直交して重なり合う三層構造を有すると共に、前記三層構造の各層は、前記重なり合う順に、それぞれ同じ方向に複数の第１の部材、複数の第２の部材及び複数の第３の部材が配置されることでそれぞれ構成された梱包用固定台と、
前記被梱包機器の側面部を覆い、前記側面部を覆う４面のうちの相対する一対の面の底部に下フラップを有する梱包用外装箱と
を備えた梱包装置であって、
前記複数の第１の部材は、前記第１の部材の長手方向を前記梱包用固定台の左右方向として、前記梱包用固定台の左右両端に配置された前記複数の第２の部材の外側より突き出た左右突出部を有すると共に、前記梱包用固定台の左右方向ごとに設けられた複数の前記左右突出部に前記下フラップの両端が載置されていること
を特徴とする梱包装置。
【請求項２】
前記被梱包機器の天部を覆うための梱包用天カバーと、
前記梱包用固定台、前記梱包用外装箱及び前記梱包用天カバーを締め付けるための包装用バンドを有していること
を特徴とする請求項１に記載の梱包装置。
【請求項３】
前記梱包用固定台は、前記複数の第２の部材が互いに間を空けて配置されることにより形成された空間を有していること
を特徴とする請求項１又は２に記載の梱包装置。
【請求項４】
前記一対の面の内側は、前記梱包用固定台の左右両端に配置された前記第２の部材の外側と接していること
を特徴とする請求項１乃至３のいずれか１項に記載の梱包装置。
【請求項５】
前記複数の第２の部材は、前記梱包用固定台の前後に配置された前記複数の第３の部材の外側より突き出た前後突出部を有すると共に、
前記梱包用外装箱の前記４面のうちの前記下フラップが設けれられていない２面の下端は、前記前後突出部に載置されていること
を特徴とする請求項１乃至４のいずれか１項に記載の梱包装置。
【請求項６】
前記左右突出部は、第１のスリットを有すると共に、
前記下フラップは、前記第１のスリットに嵌め込まれていること
を特徴とする請求項１乃至５のいずれか１項に記載の梱包装置。
【請求項７】
前記前後突出部は、第２のスリットを有すると共に、
前記梱包用外装箱の前記４面のうちの前記下フラップが設けられていない２面の下端は、前記第２のスリットに嵌め込まれていることを特徴とする請求項１乃至６のいずれか１項に記載の梱包装置。
【請求項８】
前記下フラップの下端には、切り欠き部が設けられており、
前記切り欠き部は、前記左右突出部に嵌め込まれていること
を特徴とする請求項１乃至５のいずれか１項に記載の梱包装置。
【請求項９】
前記梱包用外装箱に取っ手を設けたこと
を特徴とする請求項１乃至８のいずれか１項に記載の梱包装置。
【手続補正２】
【補正対象書類名】明細書
【補正対象項目名】０００６
【補正方法】変更
【補正の内容】
【０００６】
この発明に係る梱包装置においては、立設された直方体状の被梱包機器を載置固定し、
下から上に向かって順に直交して重なり合う三層構造を有すると共に、三層構造の各層は
、重なり合う順に、それぞれ同じ方向に複数の第１の部材、複数の第２の部材及び複数の
第３の部材が配置されることでそれぞれ構成された梱包用固定台と、被梱包機器の側面部
を覆い、側面部を覆う４面のうちの相対する一対の面の底部に下フラップを有する梱包用
外装箱とを備えた梱包装置であって、複数の第１の部材は、第１の部材の長手方向を梱包
用固定台の左右方向として、梱包用固定台の左右両端に配置された複数の第２の部材の外
側より突き出た左右突出部を有すると共に、梱包用固定台の左右方向ごとに設けられた複数の左右突出部に下フラップの両端が載置されていることを特徴とするものである。